(57)【要約】  リモートコンピュータから無線で受け取られる可変情報を表示する装置について記載する。装置は、標識の一部とすることができ、建築物の上に提示することができ、又は乗物の上に提示することができる。装置は、静止していても移動していても種々の画像のうちの任意のものを表示する。【特許請求の範囲】
【請求項１】
データ通信装置、表示装置、データ処理装置及びデータ記憶装置を備える、電子画像を表示する装置であって、画像を含むデータが、該電子画像を表示する装置にデータ配信装置から無線で通信され、前記データ処理装置は、表示画像の収益を生成するプログラムを備える、装置。
【請求項２】
ヘッドアップディスプレイ装置を備える、請求項１に記載の装置。
【請求項３】
前記画像は、透明な表面又は半透明な表面に表示される、請求項１に記載の装置。
【請求項４】
前記透明な表面又は半透明な表面が、ガラス又はプラスチックを含む、請求項３に記載の装置。
【請求項５】
アンテナを備える、請求項１に記載の装置。
【請求項６】
導波管を備える、請求項１に記載の装置。
【請求項７】
前記画像はブラウン管によって投影される、請求項２に記載の装置。
【請求項８】
前記画像は固体光源によって投影される、請求項２に記載の装置。
【請求項９】
前記画像はレーザによって投影される、請求項２に記載の装置。
【請求項１０】
ダイオードを備える、請求項１に記載の装置。
【請求項１１】
液晶装置又はプラズマディスプレイ装置を備える、請求項１に記載の装置。
【請求項１２】
電子画像を表示するために第２の装置と通信する、請求項１に記載の装置。
【請求項１３】
動きセンサを備える、請求項１に記載の装置。
【請求項１４】
加速度計を備える、請求項１に記載の装置。
【請求項１５】
請求項１に記載の装置を備える乗物。
【請求項１６】
前記画像は、窓又はフロントガラスに表示される、請求項１５に記載の乗物。
【請求項１７】
前記画像は、前記乗物の内側、外側又は両方に表示される、請求項１５に記載の乗物。
【請求項１８】
請求項１に記載の装置を備える構造体。
【請求項１９】
建築物を含む、請求項１８に記載の構造体。
【請求項２０】
内面及び外面を備え、前記画像は前記外面に表示される、請求項１８に記載の構造体。
【発明の詳細な説明】
【技術分野】
【０００１】
本主題は、例えば、建築物又は自動車に、警告又は広告などの変化する情報をオンデマンドで電子的に配布（disseminate）及び表示するプラットフォームを生成する素材及び方法に関する。
【背景技術】
【０００２】
情報配布は、建築物や広告掲示板や乗物などに、標識や横断幕や貼り紙などによって提供される。こうしたものは、一般に、静的であり、例えば、接着手段や磁気手段や締結具などによって、場所や構造体や乗物などに貼り付けられている。
【発明の概要】
【発明が解決しようとする課題】
【０００３】
しかしながら、それらの形態の表示は、特定のコンテンツに対して固定されているため、特定の表示は、時代遅れとなったときに交換するか又は除去しなければならない。
【０００４】
オンデマンドで複数の表示素材を、設計上選択された方法によって、任意選択的に収益を創出する方式によって提示するように適合可能な電子表示装置であって、命令と、表示コンテンツを含むデータとを、その表示装置に提供する情報配信（distribution）装置と通信し、その画像は、例えば、構造体や建築物や乗物などの上に、中に又は外側に表示することができる、電子表示装置を採用することによって、利益を提供することができる。
【課題を解決するための手段】
【０００５】
本主題は、こうした利点や改良などを、例えば、建築物、移動しているか又は静止している乗物などにおいて、ガラス、窓又は壁などの表面（内側又は外側、内面又は外面）に、変化する表示素材、すなわち、電子画像を提示する電子手段及び装置を提供することにより提供する。電子システムは、表示装置が、異なる情報コンテンツの複数の表示素材又は可変表示素材を、情報コンテンツ所有者やオペレータや借主や貸主や乗物の所有者や運転者などの要請により提示するのを可能にする。対象となる電子手段又は装置は、無線通信手段又は無線通信装置を備えることができ、無線通信手段又は無線通信装置は、リモートデータ配布又は配信装置から対象となる電子装置に、及び対象となる電子装置からリモートデータ配布又は配信装置に、並びに建築物や乗物などに設置された対象となる装置の間に、デジタル化情報が伝送されるのを可能にする。対象となる電子装置は、対象となる電子表示装置の動作のためのデータやデジタル化形式の表示素材やソフトウェアなどの処理及び記憶を可能にし、画像の表示のための、及び画像の表示を可能にする命令と、メタデータなどの情報とを提供し、表示及び使用情報の追跡を可能にする、中央処理装置及びデータ記憶装置などのデータ記憶及び処理能力を備えるとともに、情報の記憶を可能にし、データ解析を可能にし、他のコンピュータとの通信を可能にするなどの能力を備えることができる。対象となる電子装置は、例えば、ヘッドアップディスプレイによって、乗物の中、上又は外側、建築物の中、上又は外側、オフィスの中、上又は外側などに、画像や情報などを表示する表示手段又は装置を備える。
【０００６】
一実施形態では、対象となる固定装置又は携帯型装置は、情報表示の有効性及びこの表示からもたらされる下流イベントに関するデータの収集を促進する、表示される画像、表示の長さ、情報が表示される場所等の追跡を可能にすることができる。対象装置は、情報表示に基づいてマーケティング収益創出又は共有の手段を提供することができる。
【０００７】
それらの目的及び他の目的は、更に詳細に後述する対象となる本主題の展開において達成される。
【発明を実施するための形態】
【０００８】
対象となる主題は、例えば、衛星を利用した通信ネットワーク、無線装置（一般的に、忠実な無線通信（wireless fidelity）を意味するＷｉ−Ｆｉとして知られる）、ライトフィデリティ（Ｌｉ−Ｆｉ：light fidelity）装置や基地局などを用いる、例えば、電波やマイクロ波や自遊空間光学素子やＢｌｕｅｔｏｏｔｈ（登録商標）技術など、及びそれを用いる無線インタフェース、手段又は装置により、電子情報コンテンツ及び表示情報を記憶し、対象リモート情報表示装置に送信する、電子情報コンテンツ配信又は配布装置に関する。その配布された情報及びコンテンツデータファイルは、所望のコンテンツを提示する対象となる情報表示装置と通信する対象となる電子装置の情報又はデータ回収装置において取り込まれる。データ回収装置及びデータ表示装置はともに、携帯型とすることができ、乗物や建築物などの上又は中に配置することができる。回収装置は、デジタル化情報コンテンツを表示装置に伝送し、表示装置は、例えば、建築物又は乗物のパネル又は窓などの１つ以上の表面に、画像などの素材コンテンツを表示し、その画像は、設計上の選択として、対象となる装置のいかなる物理的な操作もなしに、可変でありかつ変更可能であり、表示変更は、代わりに、種々のコンピュータプログラムやデータファイルなどを処理し表示することによって行われる。したがって、対象となる装置の物理的なコンテンツ及び構造は、新たなかつ異なる表示毎に変化せず、２回目以降の表示で変化するのは、表示される電子情報及びコンテンツのみである。
【０００９】
「乗物」とは、対象となる電子装置の動作に対して場又は土台を提供する任意の輸送手段を意味する。乗物の例としては、自動車、バス、列車、飛行機及び他の航空機、ワゴン、スクータ、人力車、路面電車、ボート及び他の船舶、他の車両、ゴンドラ、水陸両用車両、無限軌道車、自動車、自転車若しくは他の非電動化車両等の無人又は自律車両などの無人輸送手段、電気モータ、ガソリンモータ、原子力モータ、太陽光モータ、波力若しくは風力及び変換式モータ、他の「環境にやさしい」電源等のモータを備える任意の乗物、又は他の輸送手段が挙げられる。
【００１０】
実施形態では、対象となる情報は、建築物、オフィス又は乗物等の外側に表示される。オフィスは、モールにおけるテナント店などのように、建築物内に位置する場合がある。その場合、表示される画像は建築物の内側にあるが、それにも関わらず、その表示される画像は、オフィス又は事業場所の外側に表示される。
【００１１】
実施形態では、対象となる情報は、飛行機、バス又は列車の乗客の窓の内面、タクシー又は無人車両の窓の内面などの、建築物、オフィス又は乗物の内側に表示される。
【００１２】
「適切な」画像とは、例えば、正しい方を上に、反転していない、上下逆でない、後ろ向きではない等の画像を意味する。すなわち、例えば、文字及び数字は、見る人が読むことができ、物体は、原物（original）のように、又は、画像が意図やコンテンツやメッセージなどを原物のように伝えるか若しくは含むように提示されるように、元のテキスト（任意の言語）や物体や絵やシーンや行為や行動や構造などが提示されて配置される。したがって、本明細書において用いられるとき、適切な画像とは、見る人が読むことができかつ理解することができる画像であり、画像の所有者又は原物の所有者の意図が見る人に伝わる。適切な画像とは、原物を忠実に再現する画像である場合がある。幾つかの状況では、画像は、原物を忠実に再現しない場合があるが、それにも関わらず、画像の所有者又は原物の所有者の意図を伝える、ということが理解されるであろう。例えば、回文は、前からも後からも読むことができる（例えば、文字が異なる色を含む場合、回文の不完全な画像が検出可能である場合がある）。いかなる番号も付けられておらず文字も書かれていない円グラフは、見る人に対して必要な情報を伝え損ねることなく、その画像の向き又は提示に関わらず、上下逆に、反転して、後ろ向きなどで、提示される可能性がある。一方、文字及び数字によっては、立体特異的（stereospecific）である（例えば、「Ｉ」及び「８」という文字は、前方の向き又は後方の向きにおいて適切に見ることができ、本明細書では、「立体特異的ではない」と示され、「Ｂ」及び「２」は、前方方向においてのみ適切に読むことができ、本明細書では、「立体特異的」として識別される。）このため、画像は、原物の忠実な再現ではないが、例えば、回文、又は、上記文字書き及び番号付けのない円グラフの例と同様である可能性があり、それにも関わらず、画像は原物を忠実に再現しないが、見る人が読むことができ又は理解することができ、画像又は原物の所有者の意図を伝える。したがって、原物の非忠実な再現は、本明細書における目的に対して適切な画像であり、その理由は、こうした画像が、原物と同一でない又は原物を忠実に再現していないが、見る人が読むことができかつ理解することができ、その画像は、標識やテキスト（任意の言語）や絵や映像などの対象となる画像の基礎となる、画像の所有者又は原物の所有者の意図を、見る人に伝えるものである。
【００１３】
「表示（display）」とは、見る人によって知覚される、可視の視覚的な素材、例えば、画像や絵や映像やテキストなどをもたらすように変換される、任意のデジタル化情報又は素材を意味する。例えば、ヘッドアップディスプレイ（ＨＵＤ）装置の場合、表示は、コンバイナ上の画像又はコンバイナの画像を含む。表示装置（display）は、ＣＲＴやＬＥＤやプラズマディスプレイなどの、例えば画像を提示する装置も示す。
【００１４】
「画像」とは、本技術分野において既知であるように、原物の類似画又は表現や、物体の光学的な対応物や、原物の視覚的な知覚などを意味する。画像は、２次元や３次元などでありうる。画像は、静的すなわち静止画、又は動的、すなわち動いている、すなわち動画であってもよく、映像やストリームや映画やゾートロープやアニメーションや仮想現実環境やシミュレーテッドリアリティ環境や拡張現実環境などであってもよく、カメラによってデジタル写真又はデジタル映像を撮影することによって得ることができるものであってもよい。対象となる好適な表示装置において画像を生成するための情報は、データ記憶装置においてデータストリームやプログラムやファイルなどとして記憶することが可能である。
【００１５】
「所有者」とは、例えば、表示された情報を作成し、及び／又はその所有権若しくは正当な権利を所有する者を意味する。このため、所有者は、撮影者や、アーティストや、グラフィックアーティストや、画家や、標識や映像や映画やポスターなどを作成した人などでありうる。所有者、被許諾者、又は（まだ行っていなくてもすでに行っていても）所有者の指示の下で働く者は、原物の記憶、伝送、処理及び表示のために、命令可能な情報又はデータのデジタルファイル、プログラム又はコードを作成することができ、その情報は、原物と同一であり、原物に類似する、又は適切な画像である画像として表示される。原物の画像を作成するためのデータファイルは、例えば、反対の契約がなされていない限り、原物の所有者によって所有される。
【００１６】
「可変の」、「変化する」、その文法形式又はその同義語は、２つ以上の、例えば電子画像を意味する。画像の任意の変化、例えば、（画像におけるそれぞれの特定の物体などの）サイズ、全体的な色又はそこに提示される色の変更などは、第２の画像を構成する。対象となる装置に関連して、情報コンテンツを表示する媒体は電子的であり、画像は、ラスタグラフィックやビットマップやピクスマップなどに関連することができる、電荷結合素子（ＣＣＤ）又は相補型金属酸化膜半導体（ＣＭＯＳ）チップや、ダイオードや、ベクトルなどに結合することができる、ピクセルなどの素子のアレイ又はマップによって一般的に表される命令可能な基本パレットによって構築されて表示され、各素子は、電気信号を受け取るか又は受け取らず、光を発生させ、光を発生させず、又は後に光を発生させる中間信号を生成することによって応答する。ここで、画像は、ブラウン管（ＣＲＴ）や発光ダイオード（ＬＥＤ）装置や液晶ディスプレイ（ＬＣＤ）やＨＵＤなどの素子のアレイによって作成されるため、その装置に対して、第１の画像や第２の画像や第３の画像などの画像を逐次に表示するように命令するか又はそのようにさせることができる。例えば、対象となる単一の表示装置によって、その表示装置上に、月曜日に１つの広告を表示することができ、火曜日に第２の異なる広告を表示することができる等である。可変の又は変化する画像は、映像やストリームや映画などの動画も含む。変化する画像は、手動、すなわち、例えば、フレーム内に配置するために１つのプラカード標識を別のプラカード標識と置き換えることによるのではなく、電子的に生成される。対象となる主題は、複数の画像を符号化するデータを含む種々のデジタルデータファイル又は大きいデータファイルを表示することから発生する変動性を含み、それにより、対象となる単一の表示装置に異なる電子画像がもたらされる。
【００１７】
「電子」による文法形式又はその同義語は、対象となる主題に関連して、見る人によって取得されるものを意味し、すなわち、生成されるか提供される、見る人によって知覚される対象となる画像は、（「環境にやさしい」電源など、いかに生成されるかに関わらず）電気又は電気エネルギーと画像を生成するか又は作成する様々な電気装置とを用いる。このため、例えば、動作するために及び画像を生成するために電気を必要とする、本明細書において教示されて本技術分野において既知である、電球、ダイオード、ピクセル、ＬＣＤ及び他の表示装置は、対象となる電子装置であるものと企図される。本明細書において、別段の指示がない限り、「電子」、「電気」、「電気エネルギー」及び「電力」は、同義にかつ置換可能に使用される。電子は、物理的な標識や、印刷された素材や描かれた素材やペイントされた素材やステンシルで刷られた素材等や、プラカードや、絵画や、ペイントされた標識や、ステッカーや、グラフィックラインアートや、ラベルや、金属を用いる画像や、プラスチック標識等や、情報の手作業による触知できる提示に関連する物品に関連する表示装置から識別される。このため、電子表示は、画像を生成するために処理されて使用されているデータファイルに基づいて、種々の画像のうちの任意のものを電気的に生成する素子のアレイを備えた、単一のプラットフォームやパレットなどを備える。それは、例えば、ネオンサインとは異なるものであり、ネオンサインは、種々の蛍石を含む可能性がある複数のガラス管を備えており、種々のガラス管に交流電流を流すことによって動画を生成するが、複数の画像のうちの任意のものを表示することができる電子デジタルデータファイルを受け取る程度まで可変ではない。ネオンサインは、単一の曲がったガラス管を用いて静的な非可変画像又はその一部を提示することしかできない。
【００１８】
「配信装置」や「データ配信装置」による文法形式又はその同義語は、対象となる表示装置によって画像を表示するための情報コンテンツのデジタルデータファイルの無線供給源である、データ記憶、データ処理及びデータ配布装置を意味する。同義語は、「配布装置」、又は「送信する」若しくは「伝送する」を含む他の任意の語、用語若しくは句である。例えば、配信装置は、例えば、中央処理装置（ＣＰＵ）と無線通信用の装置とを備えるコンピュータ又はサーバであってもよい。配信装置は、対象となる表示装置に物理的に接続されていない。配信装置は、対象となる表示装置と直接、又は、配信装置からデータを受け入れ、そして、そのデータを対象となる表示装置に伝送する、衛星や携帯電話基地局や無線ホットスポットや携帯電話やコンピュータやルータやライトフィデリティ装置やサーバやネットワークなどの中間装置を通して間接的に、無線通信をすることができる。配信装置又は配布装置は、単一の装置又は複数の装置であってもよい。複数の装置は、互いに通信し、例えば、異なる地理的領域に位置し、高容量コンテンツ表示領域の複数の場所に位置し、多数の表示装置の領域の複数の場所に位置すること等が可能である。
【００１９】
「回収装置」や「データ回収装置」の文法形式又はその同義語は、対象となる装置の構成要素であり、無線通信や無線データストリームなどを受け取る装置を備える。受け取られるデータは、直接的に、又は、衛星や基地局や携帯電話やホットスポットなどの中間装置を介して間接的に、配信装置において又は配信装置から発生するデータを含む。したがって、対象となる装置は、アンテナ又は他のデータ回収装置を備えており、それは、例えば電波又はマイクロ波により、表示されるべき情報コンテンツをデジタル形式で含む無線データストリームを受け取り、その情報を、例えば、対象となるデータ表示装置又は記憶装置に通信し、そこでは、その情報にアクセスし、その情報を処理し、対象となる表示装置上に表示させることができる。アンテナ又は他のデータ回収装置によって受け取られる情報は、対象情報コンテンツを表示するための実行可能プログラム及びコードとともに、表示される画像又は他の情報コンテンツを符号化するデータを含むファイルを含みうる。代替的に、対象となる表示装置上に、対象となる表示装置によって情報コンテンツを表示するためのプログラムは、配信装置から、データ記憶装置、データ処理装置及び表示装置を備える対象となる電子装置に、記憶して使用するためにダウンロードされうる。そして、配信装置は、画像や映像などの、対象となる、すなわち表示すべき情報又は情報コンテンツのコードを含むデータファイルを、対象となる表示装置に伝送することができ、そのデータファイルは、事前にダウンロードされて記憶された実行プログラムによって処理され、ダウンロードされたデータファイルの結果としての画像や映像などが、対象となる表示装置内や対象となる表示装置上に、対象となる表示装置によって表示される。したがって、配布される情報コンテンツは、情報コンテンツのデータとともに、表示の日付及び時刻や、表示の時間の長さや、表示の地理的場所などの、表示の特徴に関するデータを含みうる、表示されるコンテンツのメタデータとみなすことができ、例えば、情報を表示するため、表示されるコンテンツ等に関するデータを回収して記憶するため等の、他のプログラム及びコードを含みうる。
【００２０】
「表示装置」や「データ表示装置」の文法形式又はその同義語形態は、見る人に対して所望の情報コンテンツを表示する対象となる装置の構成要素である。したがって、表示装置は、例えば、ブラウン管（ＣＲＴ）や、液晶ディスプレイ（ＬＣＤ）や、プラズマディスプレイや、有機又は無機の発光ダイオード（ＬＥＤ）ディスプレイや、文字や数字や絵や画像などを電子的に表示する他の装置などを含む電子標識であってもよい。固体光源は、ＬＥＤや有機ＬＥＤやポリマーＬＥＤなどのダイオードを含む。表示装置は、静止画や連続画像や映画又は映像などの動画を提示することができる。対象となる回収装置によって得られる情報（例えば、表示される画像を符号化する情報を含むプログラム若しくはコード、又は表示される画像を符号化する情報を含むデータファイルの形式のデータ）は、対象となる装置において記憶されて処理され、そして、（適切なフォーマット、例えば、表示装置に応じてアナログ又はデジタルフォーマットにより）表示装置に通信され、そこで、情報は、表示装置において解釈され、分解され、実行され、その結果、見る人が知覚可能な単数又は複数の画像が提示される。
【００２１】
実施形態では、表示装置は、プラズマディスプレイやＬＣＤやＬＥＤディスプレイなどのパネル又は平面表示構造であってもよい。このパネル又は平面表示構造は、建築物又は他の構造体の壁、例えば、掲示板などの標識を含む物理的な看板を支持する自動車の屋根に取り付けられるか又はそこに現れる構造体などの自動車に取り付けられるか又は貼り付けられる標識構造体を含む、自動車などの乗物のパネル、建築物若しくはオフィスの窓又は壁などの表面に貼り付けられる。本明細書において、「構造体」は、対象表示装置を貼り付けることができ、取り付けることができ、組み込むことができ、構成要素とすることができ、平行に配置することができるなどの、対象となる表示装置が表面に関連付けられる任意の物理的な実体である。
【００２２】
実施形態では、表示装置は、プロジェクタなどの表面に画像を投影する装置である。通常、こうした装置は、中間色の表面に画像を投影する。このため、実施形態では、見る人が投影された画像を知覚することができるように、画像と表面との間にコントラストがある限り、その画像を見るための表面又は画面として、任意の表面を用いることができる。
【００２３】
実施形態では、表示装置は、透明な表面又は半透明な表面、本質的には、透き通った（clear）表面又は幾分か透き通った表面に画像を表示する装置であり、シーンや物体や看板や構造や人や動物や風景などを、その表面の１つの側から、例えば、表面上に、窓又はフロントガラスなどの表面を通して、見る人が見ることができる。実施形態では、表示装置は、ＨＵＤ、又は画像が透き通った、透明な表面若しくは半透明な表面において視覚化されるのを可能にする同様の技術であるが、ＨＵＤ技術は、他の着色された表面又は不透明な表面においても動作可能である。例えば、建築物又は自動車の窓は、内側（内部）、外側（外部）又は両方のいずれであっても、レーザ光が突き当たったときに反応して光を発し、その窓の上又は中に画像を作成する、透明な蛍光物質を含みうる。実施形態では、プロジェクタにより、画像は、例えば、ＣＲＴや、固体光源や、ＬＣＤや、レーザや、反射型液晶パネル（liquid crystal on silicon：ＬＣＯＳ）装置や、デジタルマイクロミラー又はナノミラー装置などを用いて投影される。実施形態では、例えば、全反射又は全屈折を用いて、画像投影を回避する導波管が使用される。他のホログラフィ、屈折又は回折光学系を使用することができ、例えば、引用することによりその全体が本明細書の一部をなすものとする米国特許第８，７４９，８９０号明細書を参照されたい。ＨＵＤは、例えば、発散及び／又は収束レンズや、フォールドプリズムや、凸面鏡や、ビームスプリッタなどを用いて、知覚される無制限焦点距離、又は無限焦点の画像を提供する、コリメータ、コリメート光学素子又はコリメート装置も含みうる。ＨＵＤは、コンバイナ又は他の装置を備え、それは、投影画像（又は、例えば導波管の場合、画像若しくは信号）を受け入れ、例えばビームスプリッタとして作用して、光の方向を変え、コンバイナが、表面と平行な向きで配置された、例えば、表面に付与されたフィルムとして、表面の構成要素として等、表面に隣接して又は表面の上に位置する平面構造等の、平行な向き又は面する向きで配置される表面の中で又はその上で、見る人に対して画像を表示する。通常、見られる画像は、プロジェクタから直接投影される画像、又は導波管の始まりの画像とは異なる平面にある。したがって、画像が見る人によって知覚されるように方向が変えられることはまれなことではない。本技術分野において既知であるように、使用される光学装置又はシステムに応じて、画像は、適切な画像、すなわち、自動車の外面に又は建築物の側面若しくは壁に投影される画像などの、見る人が読むことができて解釈することができる画像であるように、例えば、上下逆に、後ろ向きに、正しい方を上に、前向きに、反転させて、鏡像として、実像として等、投影することができる。また、本技術分野において既知であるように、見る人が知覚する画像が適切であり、いかなる向き又は提示であっても画像を読むことができて解釈することができることを確実にするために、境界において又は層内で又は光学特性の異なる媒体で発生する光の（一般的には方向）変化に対処するために、反射、屈折、全反射、全屈折、回折及び他の光学現象を含みうる、１つ以上のレンズや、鏡や、起伏状（contoured）フィルム又はテクスチャフィルムや、発散レンズや、収束レンズなどを用いることができる。本技術分野において既知であるように、自動車の窓は、一般に、複数のガラス板のラミネートであるため、多くの場合、例えば、乗物内への太陽光の透過を低減させるために、隣接するガラス板の間、又は、客室若しくは運転室の内側に面する表面などの、ガラス板の面に、１つ以上のフィルムが存在することがある。ＢＭＷ自動車にＨＵＤを含む実施形態では、光の方向を変え、単一の画像のみが運転者によって知覚されるのを確実にするために、ガラス板の間にくさび形フィルムが存在する（くさび形フィルムがなければ、種々の境界から反射し種々の媒体から屈折する光がオーバーラップする画像を生成し、不鮮明な又は不明瞭な画像をもたらす）。平面でない表面の場合、又は、対象となる投影システム若しくは装置が収差のある画像を投影する場合、本技術分野において既知であるように、画像を補正するため、又は見られたときにゆがまない非平面の表面に画像を投影するために、１つ以上の鏡や、レンズや、フィルムなどを使用することができる。補正又は修正する光学装置は、コンバイナや、画像を受け入れる表面や、プロジェクタなどに、又はそれらの組合せに存在することができる。
【００２４】
例えば、対象となる主題の実施においてＨＵＤを使用することができ、例えば、各々が引用することによりその全体が本明細書の一部をなすものとする、米国特許第７，６４３，２１５号明細書、同第７，６８８，５１６号明細書、及び同第７，６７５，６８３号明細書を参照されたい。ＨＵＤは、通常、一般に、乗物のガラス板に付加されるか又は組み込まれるコンバイナを備える。画像は、ＣＲＴや、ＬＣＤ装置や、ＬＥＤ装置や、反射型液晶パネル（ＬＣＯＳ）装置や、デジタルマイクロミラーや、レーザ（例えば、引用することによりその全体が本明細書の一部をなすものとする米国特許出願公開第２０１５００６２３４５号明細書を参照）や、有機ＬＥＤなどによって提供することができ、又は投影することができる。
【００２５】
上記で示唆したように、対象となる電気装置は、少なくとも、表示装置、データ記憶装置及びデータ処理装置を備え、そして任意選択的に、配信又は配布装置からデータストリームを受け入れるデータ回収装置や、情報コンテンツを表示するためのコードを含む無線デジタル化情報通信部や、例えば配信装置に情報又はデータを伝送するデータ伝送装置などを含む、複数の部分又は装置を備えることができる。設計上の選択として、様々な構成要素を組み立てて単一構造体にするか、又は複数の構造体の間で分離することができる。本明細書において用いられるとき、対象となる表示装置は、ＨＵＤなどの特定の表示装置を備えるか、又はデータ記憶装置やデータ処理装置や無線データ回収装置など及びその組合せなどの、表示装置の動作のための他の装置とともに表示装置を備える。
【００２６】
単一の電子情報の配信装置又は複数の電子情報の配信装置がある可能性があり、任意選択的に、それらの複数の配信装置は、互いに通信することができ、それらの配信装置は、対象となる回収装置への容易な通信を確実にする領域の周囲に地理的に設置することができる。多数の回収装置が集中している領域では、各回収装置への時宜を得たかつ容易なデータの伝送を確実にするために、より多数の配信装置を近接して配置することができる。
【００２７】
配信装置は、本技術分野において既知であるように、ＣＰＵやサーバなどのコンピュータ等の、デジタル化データ操作システムを備えることができる。配信装置の操作システムは、設計上の選択として、データ記憶装置や、データ処理装置や、データ通信装置や、データ表示装置などを含みうる。操作システムは、表示素材のデータファイルを受け入れかつ送信する装置を動作させるデータ又はファイルのみを含むのではなく、本技術分野において既知であるように、画像などの、表示素材のファイルを記憶するデータ及び能力、表示素材のファイルを受け入れ、送信し又は伝送し、見られる情報を表示する装置及び能力、素材の表示を追跡するコード又はプログラムなども備える。素材は、警告や広告や絵や映像など及びそれらの組合せなどの、情報コンテンツやエンターテイメントコンテンツなどのものでありうる。したがって、本主題の実施において、デジタル化し、そして、対象となる装置の表示装置によって表示することができる任意の情報を用いることができる。
【００２８】
配信装置、及び配信装置からリモートである対象となる電気装置のデータ通信手段又は装置は、無線技術を備え、デジタル化データの形式で情報を通信する媒体又は手段として、マイクロ波や電波や赤外線などを送受信する手段又は装置等、本技術分野において既知である任意の形態とすることができる。多数のユーザーへのアクセスを可能にするために、例えば、衛星を採用することができる。全地球測位システム（ＧＰＳ）及び他の追跡又は位置特定技術により、対象となる装置の地理的設置及びモニタリングが可能になる。しかしながら、配信装置との不断の通信は不要であるものの、特に、対象となる装置が、情報表示に関するデータ、例えば、表示されるコンテンツ、及び対象装置の位置等の他の補助的情報に関するメタデータ配布の取得、及びそのデータの記憶も行っており、後にそのデータを例えば配信装置に伝送することができる場合には、望ましい場合がある。
例えば、電子広告を送信することに関する米国特許第７，３９７，３４５号明細書、及び乗物における無線データ伝送のためのインタフェースに関する米国特許出願公開第２０１４００８２６７６号明細書を参照されたい。
【００２９】
データ回収装置は、固定又は移動式とすることができ、例えば可動乗物内に位置することができる。代替的に、データ回収装置は、乗物からリモートであるが、乗物又はその中の対象となる表示装置と電子通信することができるか、又はそのように配置することができる。例えば、電話又はタブレットが、例えば、可動する乗物の上又は中に位置するものなどの、移動式である表示装置等の対象表示装置と、無線で、又は、例えば、接続ワイヤ若しくはケーブルによって実際に通信することができる、データ回収装置としての役割を果たすことができる。データ回収装置は、本技術分野において既知であるように、データ通信装置やデータ処理装置などを備えることができる。データ回収装置は、配信装置から、デジタル化表示素材ファイルなどの情報コンテンツとともに、実行可能データファイルで同時に、又は逐次に、情報コンテンツを含むそのファイルの表示を制御しかつ可能にするプログラムを受け取る。データ回収装置は、表示素材使用データなどのデータを、配信装置又は等価物に伝送することもできる。
【００３０】
本主題の実施において、自動車や、バスや、列車や、飛行機や、ボートや、オートバイや、自転車や、スクータや、モペッドなどの、任意の乗物を使用することができ、電動とすることができる本質的に任意の移動式乗物又は輸送手段を使用することができる。窓のない比較的小さい乗物では、乗物の上に又は乗物に、ＬＣＤ又はＬＥＤパネルなどの表示装置を固定することができる。
【００３１】
実施形態では、乗物は、透明な、透き通った表面又は半透明な表面を備える。例として、ドアなどにおけるフロントガラスやリアウィンドウやサイドウィンドウなどの、（例えば、鋼の強度に近いか又は近似する強度を有する）ポリカーボネート又は他の透明素材などの、ガラス又はプラスチックが挙げられる。
【００３２】
データ表示装置は、例えば、建築物に又は乗物に貼り付けることができ、処理済みデータを受け入れ、例えば、画像や、複数の画像や、一続きの画像や、テキストや、映像などの形式であるデータコンテンツ、すなわち表示素材を構造体に表示する装置である。例えば、ＨＵＤやＬＣＤやＬＥＤ装置などの、乗物に又は建築物に貼り付けることができる任意の形態の表示装置を用いることができる。したがって、表示装置は、金属箔又はプラスチックなどの、可撓性基材を備える可撓性の有機ＬＥＤであってもよい。例えば、タクシーで使用される際、画像や標識や広告などを表示するために、自動車の屋根に角柱状の構造体を取り付けることができる。こうした装置は、対象となる主題の実施において、電子表示装置を提供するように変更することができる。
【００３３】
別の表示装置は、ＬＥＤ装置又はＬＣＤ、特に、乗物の車体パネルに若しくは乗物に貼り付けられた構造体に貼り付けられるか、又は上述した静的な標識を提示するために乗物において既に使用されている角柱状の構造体などの既存の構造体における横断幕若しくは標識の代わりとなる、特定の装置でありうる。こうした表示装置は、建築物、又は壁若しくは窓などの建築物の一部や、標識や、掲示板などに貼り付けることができる。
【００３４】
更に別の表示手段又は装置は、アクティブマトリックスディスプレイや、電子インクや、エレクトロウェッティングディスプレイや、エレクトロフルイディックディスプレイなどでありうる、電子ペーパ又はその一形態である。例えば、各々が引用することによりその全体が本明細書の一部をなすものとする、米国特許第７，７２８，８１１号明細書及び米国特許第７，７３３，５５４号明細書を参照されたい。電子ペーパ又は電子インク技術は、光を反射するため、特に、直射日光又は明るい若しくは高照度の屋内の条件下でコントラスト及び可視性を向上させる。
【００３５】
画像配置は、例えば、別の隣接する乗物の乗客若しくはオペレータ、又は建築物や会社や店頭などに若しくはその外側にいる人が見ることができるものに近づき又はそれを最大化するように調整することができる。例えば、対象となる表示装置を備える乗物は、設計上の選択として、近接して又は際限なく画像を表示することができる。表示画像のアイボックスは、遠くから、又は表示装置やコンバイナなどの表面に対する垂線からのより大きい角度から見ることができるように、見る人に対して通常適合されるより大きいように構成することができる。明度及び／又はコントラストを調整して、オフィス、建築物又は乗物の外側から見ることができるようにすることができる。
【００３６】
ディスプレイシステムは既知であり、例えば、各々が引用することによりその全体が本明細書に組み込まれる、交通信号の発光ディスプレイに対する米国特許第５，９１７，４３１号明細書、及び交通信号灯関連広告表示装置に対する米国特許第５，１５０，１１６号明細書を参照されたい。
【００３７】
データ回収装置及び表示装置を備える対象装置は、例えば、ＣＰＵ、データ伝送装置、データ処理装置、及び表示コンテンツのデータファイル、こうした表示のこうしたコンテンツ及びデータを表示するためのプログラムなどを記憶するデータ記憶装置などを備えることができ、また、加速度計やジャイロスコープや羅針盤などの動きセンサも備えることができる。表示装置は、動いていないときに、すなわち静止している、いかなる動きも検出されないときにのみ、情報コンテンツを表示するように構成することができる。したがって、乗物が停止するか又は走行していないとき、その乗物に画像を提示することができる。実施形態では、乗物が動いているときに、例えば、バス、列車、飛行機、無人又は自律車両やタクシーなどの乗客に画像が表示される。
【００３８】
実施形態では、表示装置は、ガラスやプラスチックなどの透明な表面又は半透明な表面に画像を表示する、ＨＵＤや組織的な視覚システムなどを備える。本技術分野において既知であるように、ＨＵＤ装置は、通常、例えば、光学的に無限に画像を投影する（又は、画像投影を除外する導波管又はホログラフィ装置を備える）画像プロジェクタと、その投影を取り込み、見る人に見えて見る人が読むことができる画像を提供するコンバイナとを備える。ＨＵＤは、対象情報コンテンツの表示を可能にするＣＰＵ等のデータ処理装置であって、表示されるコンテンツのデータファイルを（任意選択的に、実行可能ファイルとして）取得し、その処理済み情報を対象となる表示装置に通信して、見るための画像を生成し、任意選択的に、その表示コンテンツに関する情報を取得し記憶するデータ処理装置と、例えば、ランダムアクセスメモリ（ＲＡＭ）装置やリードオンリメモリ（ＲＯＭ）装置等のデータ記憶装置とを備える。ＨＵＤは、１つ以上のレンズやプリズムや鏡やテクスチャフィルムなどを備えることができ、それらは、例えば、見る人によって知覚されるときに適切であり、すなわち、読むことができて理解することができるようにコンバイナに提示される画像（例えば、投影画像は、後ろ向きであり、上下逆であり、反転されている等の可能性があるが、コンバイナにおいて又はコンバイナから見たときは読むことができる）、すなわち、適切な画像を有するように、収差及び歪みを補正するように、又は、非平面の表面に表示されていること、光学系の収差等にも関わらず、可視画像がゆがんでいないことを確実にするように、画像を操作する。ＨＵＤは、レンズ及びフィルム、フレネル装置、及びコンバイナにおいて画像を拡大する他の画像拡大装置などの光発散装置を備えることができる。対象となるコンバイナは、従来のＨＵＤ装置で使用されるものより単純にすることができ、その理由は、画像のみが見られ、見る人がオペレータであり、例えば、移動している乗物の前の「道路」などの、ガラスの外側又はガラスを越える環境を見る運転者又は操縦者である場合に、ＨＵＤで発生するもののように、コンバイナを通してみられる外部の世界は見られないためである。このため、観察面は、透き通っている、収差がない等である必要はない。例えば、乗物の外側の人が乗物の車室又は運転室を見るのを困難にするように、ガラスを着色する、コーティングする、又は不透明にすることができる。それにも関わらず、ＨＵＤによって生成される画像のみが見られ、ガラスを通してみることができるものは見られないため、対象となる主題の実施において、こうした着色されるか、コーティングされるか又は不透明なガラスを使用することができる。自動車によっては、ＨＵＤ装置が工場で設置されている。装置が、本明細書において提供されるようにその乗物の外側で見える画像を、又は実施形態では、例えば、公共交通機関やタクシーや無人車両などの乗客に対する等、その乗物、表示装置としての役割を果たす対象となる装置の内側にいる人を含む任意の見る人に対して表示するように構成される限り、対象となる主題の実施において、本質的に、乗物のための任意のＨＵＤ装置を使用することができる。
【００３９】
実施形態では、表示素材は、観察面の近位側（proximal side）に隣接しているか又は近位側にいる乗物のオペレータ、運転者、操縦者、オフィス又は建築物の従業員又は所有者などによって見られず、観察面の外側又はその遠位側（distal side）にいる見る人によって見られるため、画像は、乗物やオフィスや建築物などの外側にいる見る人によって読むことができるように、適切であるように操作されなければならない可能性がある。「近位」とは、透明な表面又は半透明な表面の、乗物のオペレータ、操縦者、会社所有者、オフィス所有者又は借主等に近い方の側を意味する。近位側は、パッセンジャーコンパートメントなどの、乗物の客室やオフィスなどの内部に見られるか又は内部に面している。例えば、画像が運転者又はオペレータによって見られるように構成されている乗物におけるＨＵＤの現時点でのかつ既知の使用では、近位側は、パッセンジャーコンパートメントの内部に面する側、すなわち、フロントガラスの内面にある側である。「遠位」とは、乗物のＨＵＤの通常のかつ既知の使用において、乗物若しくはオフィスの外部にある、又は乗物若しくはオフィスの外部に面する、又は乗物若しくはオフィスの外側に面する、観察面の他方の側を意味する。しかしながら、上述したように、画像は、通常の運転の又は正常な運転の反対の面又は側、例えば、乗物の外側に表示されるが、実施形態では、見る人が、運転者又はオペレータではなく、公共交通機関やタクシーなどの乗物内の乗客である場合、乗物の内側に画像を表示することができる。
【００４０】
実施形態では、表示素材が、対象となる素材を表示している乗物の外側の人が読みやすく、読むことができ、理解することができ、又はそうした人によって見られるように正確な向きである、すなわち適切な画像であるために、反対（inverse）向き、逆（reverse）向き、後ろ向き等、隣接する乗物内又は会社の外側にいる、乗客又はオフィスの外側の見る人等の、意図された見る人によって見られる表示素材が、正確な向き、順序、方向等にある、すなわち、原物の所有者又は画像の所有者によって意図されるように、オフィス、建築物又は乗物の外側にいる人によって読むことができ、理解され、読まれ、見られる等のように、適切な画像であるように、任意の向きで、ガラスやプラスチックなどの観察面のコンバイナにおいて投影されるか又はコンバイナに伝送される必要がある場合ある。
【００４１】
例えば、対象となる表示素材の方向づけは、ガラス板の上で言葉による表現及び／又は文字書きを組み合わせて看板にペイントすることに類似することができ、看板は、オフィス、建築物又は乗物の内側に面するガラスの側にペイントされ、番号付け及び／又は文字書きの向き、方向等は、その建築物、オフィス又は乗物の外側に面しているガラスの側に面している、その建築物、オフィス又は乗物の外側の人が、１枚の紙にタイプされるか又はコピーされているかのように、その看板を読むことができるようなものでなければならない。そうするために、番号付け及び／又は文字書きは、逆、後ろ向き、反対等の向きにペイントされる必要がある場合がある。
【００４２】
本明細書において、「反対」又は「反転した」などの文法形式は、画像、情報又は対象素材を表示している建築物、オフィス又は乗物の外側の人などの、意図された見る人にわかりやすいように、意図された見る人が読むことができるように、理解することができるように、原物の任意の向きや方向や形態などにあることを意味するか、適切な原物に見られるものとは別であることを意味する。したがって、原物又はその一部は、反転している場合があるが適切である。画像又はその一部は、反転している場合があるが適切である。
【００４３】
このため、例えば、いくつかの立体特異的な大文字が、建築物、オフィス又は乗物の透き通ったガラスの内面にペイントされた標識の外側の見る人にわかりやすいように、「ＢＡＫＥＲＹ」などの語をガラスの外面又は外側から読むことができるためには、その幾つかの文字は、「ＹＲＥＫＡＢ」などの逆の順序でガラスの内面又は内側に適用される必要がある場合がある。また、例えば、立体特異的なものなどの、いくつかの文字は反転して適用され、ガラスの内面に、例えば、「Ｅ」は、
【数１】
2018524686.tif 000002
としてペイントされ、「Ｒ」は
【数２】
2018524686.tif 000003
としてペイントされる等である。このため、外側の適切な画像は、本質的に、意図された語を複写し、ガラスの内側の適切な原物は、後ろ向き、反転した等の番号付け及び文字書きを含む可能性がある。
【００４４】
実施形態では、例えば、使用される光学系に応じて、処理されて表示された文字又は画像を、例えば、オフィス、会社又は乗物の透明な表面又は半透明な表面において、例えば反転させることができ、それにより、オフィス、建築物又は乗物の外部又は外側にいる人が、透明な又は半透明な表面の遠位面に又は遠位面によって表示される素材を読み、見て、理解する等ができ、その反転した文字が見る人の観点から適切であるように、対象となる表示画像を符号化するデジタル化データを書くか又は符号化することができる。本技術分野において既知であるように、フレネルフィルムレンズなどのレンズや鏡やテクスチャフィルムを用いて、画像を見る人が読むことができ、画像を見る人にわかりやすく、画像を見る人が理解することができるように、適切な画像が、物体又は画像の所有者によって意図されるように提示されるものの、適切なサイズや明瞭さ等を有することを確実にすることができる。
【００４５】
実施形態では、こうした表示素材の操作は、それほど極端なものではない場合があり、又は、表示装置、透明な表面又は半透明な表面などに応じて、必要でない場合があり、例えば、表示され又は見られる素材の向きを変更するために既知であるプリズム、レンズ等に帰する作業を含み、収差を最小限にする等のように、変更を有するか又は追加される可能性があり、立体特異的ではない字、文字書き及び／又は番号付け等を含むみうる。
【００４６】
実施形態では、表示装置は、表示素材の選択的な提示を提供する装置でありうる。例えば、乗物の外側の表示素材は、乗物が静止している、一時停止標識で又は停止信号で駐車するときなどのブレーキがかけられるときにのみ、見えるものであってもよい。したがって、情報コンテンツは、乗物が運転中であり、移動しているときには表示されない可能性がある。実施形態では、移動している乗物内で、例えば、飛行中の航空機や移動中の列車や運転中のバスや運転中のタクシーなどの移動中の乗物内の乗客に対して、画像を表示することができる。実施形態では、蓄電池が電荷を含み、又は、例えば、移動している乗物若しくは回生ブレーキを備える乗物を充電しているときに、画像を表示することができる。
【００４７】
実施形態では、安全標識、例えば補助を求める救急標識などの安全に関するメッセージや、故障車を示す等の警告に関するメッセージを、１つ以上の表面に表示することができる。したがって、道路沿いにある乗物は、対象となる表示装置を用いてこうした看板を表示して、第１応答者に場所を知らせ、通りすがりのドライバから援助を求める等を行うことができる。
【００４８】
実施形態では、ＨＵＤ表示は、オフィス、建築物又は乗物の外側又は遠位側でコンバイナに画像が投影されるように構成される。それは、例えば、プロジェクタが、例えば運転席側のドア窓の外面に投影するために、オフィス、建築物又は乗物の外側に位置しており、バックミラーのハウジング内にプロジェクタを設置することができる場合に行うことができる。実施形態では、プロジェクタは、オフィス、建築物又は乗物の上又は中にあり、１つ以上のレンズや鏡やフィルムなどを用いて、コンバイナに投影するために、オフィス、建築物又は乗物の外側に投影画像が向けられる。実施形態では、導波管を用いて、オフィス、建築物又は乗物の外側に画像が向けられる。
【００４９】
表示装置は、対象となる電気装置のデータ回収装置と同様に、乗物の発電システムによって、専用の電力貯蔵装置によって又は両方によって電力を供給することができる。走行していないとき、対象となる装置は、乗物の蓄電池を消耗させることを回避するように専用のエネルギー貯蔵装置によって電力を供給することができる。電荷が蓄積される限り、表示用途で専用バッテリを充電することができる、ソーラーパネル又はフィルムや、風力タービン又は発電機などの、対象となる電気装置に電力を供給する他の手段が企図される。エネルギー貯蔵装置は、通常、直流で動作し、対象となる装置が、例えば、移動する乗物又は蓄電池に頼る他の構造体に関連する場合には、対象となる装置は直流電荷で動作するように構成される。実施形態では、対象となる装置が電力用の交流に関連する建築物又は他の構造物内に置かれて、対象となる装置は交流電力で動作するように構成される。他の電源を使用することができ、対象となる装置は、その電源を用いて動作可能となるように構成される。
【００５０】
情報を表示する機会により、例えば、社会学的研究や、心理学的研究や、マーケティング研究や、事業研究や、安全研究などに対して、情報配布の程度や、情報配布の影響又は有効性などに関する情報源を提供する。こうしたデータを用いて、情報配布やマーケティングやデモグラフィックや販売などの影響及び有効性を向上させることができる。
【００５１】
データを表示する機会により、例えば、配信装置の所有者や、原物の所有者や、画像の所有者や、その人の管理下で物品や建築物や構造体などからコンテンツ表示を可能にする人や、乗物のオペレータ又は所有者などに、デジタル情報表示のマーケティング収益源を提供することができる。例えば、設計上の選択として、情報が表示される時刻や、情報が表示される時間の長さや、情報が表示される場所や、表示情報のあり得る視聴者や、現場における表示器（displayer）の密度や、情報表示の影響などに基づいて、収益を等級付けすることができる。表示のデータは、対象となるデータ記憶装置に記憶することができる。そのデータは、配信装置などのリモートコンピュータに伝送することができる。例えば、データ表示の追跡は、対象となる内蔵された電気装置によってモニタリングし、任意選択的に、ＧＰＳ情報と相関させ、配信装置又は等価物に伝送することができる。そして、データを解析することができ、定式又は所定の条件のセットを適用して、コンテンツの集合的な表示、例えば、関連するデータ及び素材の解析及び表示コンテンツに関連する「メタデータ」によって生成される収益の量を求めることができる。そして、計算された収益又は収入は、設計上の選択として、所有者や借主や貸主などの、コンテンツ又は素材を表示した乗物の運転者又は所有者などに転送される。
【００５２】
実施形態では、複数の遠隔地に位置する対象となる表示装置は、互いに通信することができ、例えば、社会的な交流、ビジネス又は他の目的で、表示装置の所有者間での通信を可能にし、例えば、表示特性に関するデータ交換を可能にすることなどが可能である。
【００５３】
本明細書で引用した全ての参考文献は、引用することによりその全体が本明細書の一部をなすものとする。
【００５４】
本発明の趣旨及び範囲から逸脱することなく、本明細書における教示に対して様々な変形及び変更を行うことができることは、当業者にとって明らかであろう。
【国際調査報告】
2018524686.tif 000004
2018524686.tif 000005